(57)【要約】【課題】  クラブケースを安定させて楽に装着でき、製造が容易であって外観上及び取扱上にも優れたキャディバッグを提供すること。【解決手段】  本発明は、ゴルフクラブセットを収納できる筒状のバッグ本体２と、当該バッグ本体２の一側面に固定された取手５と、前記取手５の反対側におけるバッグ本体２の側面を避けてバッグ本体２に装着された備品収納袋部６と、前記取手５の反対側の側面に形成された緩やかな凹面状、緩やかな凸面状、緩やかな弧面状又は平面状の扁平部７と、前記取手５の反対側の前記バッグ本体２の上端開口部において、前記扁平部７上端の中央部と隣接して設けられた仕切部８と、を備え、ゴルフクラブセットの一部を運ぶのに適した小型のクラブケース２０の上端部から下方に向けて突出する棒状又は板状のハンドル２１を前記仕切部８に差し込み、そのクラブケース２０を前記扁平部７に装着できるキャディバッグ１である。【選択図】図１
2018121792.tif 000002
【特許請求の範囲】
【請求項１】
ゴルフクラブセットを収納できる筒状のバッグ本体と、
当該バッグ本体の一側面に固定された取手と、
前記取手の反対側におけるバッグ本体の側面を避けてバッグ本体に装着された備品収納袋部と、
前記取手の反対側におけるバッグ本体の側面に形成された緩やかな凹面状、緩やかな凸面状、緩やかな弧面状又は平面状の扁平部と、
前記取手の反対側における前記バッグ本体の上端開口部において、前記扁平部上端の中央部と隣接して設けられた仕切部と、
を備え、
ゴルフクラブセットの一部を小分けして運ぶのに適した小型のクラブケースであって、その上端部から下方に向けて突出する棒状又は板状のハンドルを備えたクラブケースの当該ハンドルを前記仕切部に差し込み、そのクラブケースを前記扁平部に装着できるようにしたことを特徴とするキャディバッグ。
【請求項２】
前記扁平部と対応する位置に固定手段をさらに備えていることを特徴とする請求項１に記載のキャディバッグ。
【請求項３】
前記固定手段は、前記扁平部を横切る長さの調節が可能であり、かつ、バッグ本体の上端開口部から１５〜２５ｃｍ下方位置においてのみバッグ本体に固定されているものであることを特徴とする請求項２に記載のキャディバッグ。
【請求項４】
前記固定手段は、前記扁平部を横切るように張ることができるベルト又は紐であることを特徴とする請求項２又は３に記載のキャディバッグ。
【請求項５】
前記備品収納袋部は、前記扁平部を両側から囲むように形成されているものであることを特徴とする請求項１ないし４の何れか一項に記載のキャディバッグ。
【請求項６】
前記クラブケースは、その本体上部にて回動可能に固定した２本の脚の下部を開くことで自立できるものであってもよいものであることを特徴とする請求項１ないし５の何れか一項に記載のキャディバッグ。
【請求項７】
前記クラブケースのハンドルを差し込むための仕切部は、前記バッグ本体の上端開口部に形成された他の仕切と異なる着色又は明度により識別し易くなっていることを特徴とする請求項１ないし６の何れか一項に記載のキャディバッグ。
【請求項８】
前記クラブケースのハンドルを差し込むための仕切部は、前記取手側の仕切がバッグ本体の底部まで延設されているものであることを特徴とする請求項１ないし７の何れか一項に記載のキャディバッグ。
【発明の詳細な説明】
【技術分野】
【０００１】
本発明は、キャディバッグ（ゴルフクラブセット収納用のバッグ）に関するものであって、より詳細には、ゴルフのラウンドプレー中にゴルフクラブセットの一部を持ち運ぶための小型のクラブケース（「サブバッグ」とも呼ばれている）と共に使用するのに適したキャディバッグに関するものである。
【背景技術】
【０００２】
従来、ゴルフクラブセットの一部を持ち運ぶための小型のクラブケースを、キャディバッグとともに用いることが提案されている（特許文献１、特許文献２）。
特に、近年、クラブケースとして、長い棒状の脚を備え自立可能なものが好まれるようになり、それらのクラブケースは、折り畳んでキャディバッグなどに収納することができない。
従って、それらのクラブケースを持ち運ぶ方法として、上記の特許文献１及び特許文献２においては、キャディバッグの側面にクラブケースを装着する方法が提案されている。
【０００３】
しかしながら、特許文献１に記載のキャディバッグにおいては、その側面に対し、クラブケースの上下の部分をフックを用いて単に装着しているだけであり、クラブケースがキャディバッグの外側に大きくはみ出し、キャディバッグとの一体感が無いという問題や、クラブケースが揺れ動いて安定しないという問題がある。
そこで、特許文献２に記載のキャディバッグにおいては、クラブケースを嵌め込むことができる凹みをキャディバッグに形成し、そこにクラブケースを嵌め込むことができるようにしており、運搬や収納の際におけるキャディバッグとクラブケースとの一体性を高めている。
【先行技術文献】
【特許文献】
【０００４】
【特許文献１】特許第５９０３２９１号公報
【特許文献２】特開２０１６−１４７０７８号公報
【発明の概要】
【発明が解決しようとする課題】
【０００５】
しかしながら、特許文献２に記載のキャディバッグにおいては、その筒状の本体部分に凹みを設けるために、大がかりな樹脂成形を行う必要があり、製造コストが著しく増大するなど、製造上の問題がある。また、特許文献２に記載のキャディバッグにおいては、本体部分に形成されている特殊形状の凹みと合致する専用のクラブケース以外のクラブケースとともに使用することは困難であるという問題がある。
【０００６】
そこで、本発明が解決しようとする課題は、上記従来のキャディバッグにおける問題を解消し、市販されている種々のクラブケースを安定させて楽に装着でき、キャディバッグとクラブケースとの一体性を簡単かつ確実に得ることができるとともに、製造が容易であって製造コストが増大することも無いキャディバッグを提供することにある。
また、本発明は、単体で使用する場合も、小型のクラブケースとともに使用する場合にも、外観上及び取扱上において優れたキャディバッグを提供することを目的とするものである。
【課題を解決するための手段】
【０００７】
（１）本発明は、「ゴルフクラブセットを収納できる筒状のバッグ本体と、当該バッグ本体の一側面に固定された取手と、前記取手の反対側におけるバッグ本体の側面を避けてバッグ本体に装着された備品収納袋部と、前記取手の反対側におけるバッグ本体の側面に形成された緩やかな凹面状、緩やかな凸面状、緩やかな弧面状又は平面状の扁平部と、前記取手の反対側における前記バッグ本体の上端開口部において、前記扁平部上端の中央部と隣接して設けられた仕切部と、を備え、ゴルフクラブセットの一部を小分けして運ぶのに適した小型のクラブケースであって、その上端部から下方に向けて突出する棒状又は板状のハンドルを備えたクラブケースの当該ハンドルを前記仕切部に差し込み、そのクラブケースを前記扁平部に装着できるようにしたキャディバッグ」を最も主要な特徴とするものである。
【０００８】
（２）本発明のキャディバッグは、前記扁平部と対応する位置に固定手段をさらに備えているものであってもよい。
（３）また、本発明のキャディバッグは、前記固定手段が、前記扁平部を横切る長さの調節が可能であり、かつ、バッグ本体の上端開口部から１５〜２５ｃｍ下方位置においてのみバッグ本体に固定されているものであってもよい。
（４）本発明のキャディバッグは、前記固定手段が、前記扁平部を横切るように張ることができるベルト又は紐であってもよい。
【０００９】
（５）本発明のキャディバッグは、前記備品収納袋部が、前記扁平部を両側から囲むように形成されているものであってもよい。
（６）本発明のキャディバッグは、前記クラブケースが、その本体上部にて回動可能に固定した２本の脚の下部を開くことで自立できるものに対応できるものであってもよい。
（７）本発明のキャディバッグは、前記クラブケースのハンドルを差し込むための仕切部が、前記バッグ本体の上端開口部に形成された他の仕切と異なる着色又は明度により識別し易くなっているものであってもよい。
（８）本発明のキャディバッグは、前記クラブケースのハンドルを差し込むための仕切部が、前記取手側の仕切がバッグ本体の底部まで延設されているものであってもよい。
【発明の効果】
【００１０】
上記のように構成した本発明のキャディバッグにおいては、バッグ本体の形状として特別な樹脂成形加工を行うこと無く、合成樹脂製の板材を筒状にして縫い付けるというような従来のキャディバッグにおいて用いられている低コストで簡単な製法を用いてバッグ本体を製造することができる。
そして、かかるバッグ本体の一側面に形成された扁平部にクラブケースを対応させることで、市販されている種々のクラブケースと本発明のキャディバッグとの一体性を得ることができる。
さらに、仕切部によってクラブケースの取手を簡単かつ確実に保持することができる。
また、本発明のキャディバッグは、単体で使用する場合も、クラブケースとともに使用する場合にも外観上及び取扱上優れたものとすることができる。
【００１１】
本発明のキャディバッグにおいて、前記扁平部と対応する位置に固定手段をさらに備えているものとした場合には、キャディバッグに対してクラブケースを確実に安定させて固定することができ、持ち運びの際における取扱性を向上させることができる。
【００１２】
本発明のキャディバッグにおいて、前記固定手段が、前記扁平部を横切る長さの調節が可能であり、かつ、バッグ本体の上端開口部から１５〜２５ｃｍ下方位置においてのみバッグ本体に固定されているものとすれば、立ったままの楽な姿勢で当該固定手段を用いてクラブケースを簡単かつ迅速に固定することができ、余分な固定手段を設ける無駄やそれを操作する手間が無く、実用上の利便性に優れたものとすることができる。
さらに、当該固定手段にてクラブケースをキャディバッグの扁平部に対して密着させて固定することができ、キャディバッグとクラブケースとの一体性、安定性及び取扱性を高めることができる。
【００１３】
本発明のキャディバッグにおいて、前記固定手段が、前記扁平部を横切るように張ることができるベルト又は紐である場合には、ベルト又は紐を締め付けることで、クラブケースを確実にキャディバッグの扁平部に対して密着させて固定することができる。
本発明のキャディバッグにおいて、前記備品収納袋部が、前記扁平部を両側から囲むように形成されているものである場合には、クラブケースとキャディバッグとの一体性をより一層高め、クラブケースを外観良く安定してキャディバッグに装着できるばかりか、キャディバッグの収容力を損なうことを避けることもできる。
【００１４】
本発明のキャディバッグにおいて、前記クラブケースが、その本体上部にて回動可能に固定した２本の脚の下部を開くことで自立できるものに対応できるものである場合には、キャディバッグの使い勝手が良く、クラブケースの運搬や保管の際に便利である。
本発明のキャディバッグにおいて、前記クラブケースのハンドルを差し込むための仕切部が、前記バッグ本体の上端開口部に形成された他の仕切と異なる着色又は明度により識別し易くなっているものである場合には、クラブケースのハンドルを仕切部に向けて迷うこと無く簡単かつ迅速に入れることができる。
【００１５】
本発明のキャディバッグにおいて、前記クラブケースのハンドルを差し込むための仕切部が、前記取手側の仕切がバッグ本体の底部まで延設されているものである場合には、ゴルフカートに乗せたキャディバッグが上下左右に揺れることがあってもハンドルがキャディバッグの仕切に当接してクラブケースが揺れることを抑制することができ、クラブケースがキャディバッグから外れ落ちることを防ぐこともできる。
【図面の簡単な説明】
【００１６】
【図１】図１は本発明を具体化した一実施形態のキャディバッグの平面図及び側面図である。
【図２】図２は本発明を具体化した一実施形態のキャディバッグにクラブケースを装着した状態を示す側面図及びクラブケースの斜視図である。
【図３】図３は本発明を具体化した一実施形態のキャディバッグとその内部の部品を示す斜視図及び側面図である。
【図４】図４は本発明を具体化した一実施形態のキャディバッグをゴルフカートに乗せ、クラブケースを装着した状態を示す斜視図である。
【図５】図５（Ａ）及び図５（Ｂ）は本発明を具体化した他の実施形態のキャディバッグの平面図である。
【図６】図６は本発明を具体化した他の実施形態のキャディバッグとクラブケースを示す側面図である。
【図７】図７は本発明を具体化した他の実施形態のキャディバッグとクラブケースを示す側面図である。
【図８】図８は本発明を具体化した他の実施形態のキャディバッグとクラブケースを示す側面図である。
【図９】図９は本発明を具体化した他の実施形態のキャディバッグとクラブケースを示す側面図である。
【発明を実施するための形態】
【００１７】
本発明は、「ゴルフクラブセットを収納できる筒状のバッグ本体と、当該バッグ本体の一側面に固定された取手と、前記取手の反対側におけるバッグ本体の側面を避けてバッグ本体に装着された備品収納袋部と、前記取手の反対側におけるバッグ本体の側面に形成された緩やかな凹面状、緩やかな凸面状、緩やかな弧面状又は平面状の扁平部と、前記取手の反対側における前記バッグ本体の上端開口部において、前記扁平部上端の中央部と隣接して設けられた仕切部と、を備え、ゴルフクラブセットの一部を小分けして運ぶのに適した小型のクラブケースであって、その上端部から下方に向けて突出する棒状又は板状のハンドルを備えたクラブケースの当該ハンドルを前記仕切部に差し込み、そのクラブケースを前記扁平部に装着できるようにしたキャディバッグ」であって、以下において説明する実施の形態などにより好適に具体化することができる。
【００１８】
以下、本発明のキャディバッグを具体化した一実施形態について説明する。
図１〜図４は本発明の一実施形態のキャディバッグ１を示し、筒状の合成樹脂製板材２ａなどから成るバッグ本体２、当該バッグ本体２の底部を構成する底部材３、バッグ本体２の上端開口部を構成する口枠部材４と、バッグ本体２の一側面に固定された取手５、当該取手５の反対側におけるバッグ本体２の側面を避けて縫合された２箇所の備品収納袋部６などを備えている。
なお、バッグ本体２の上部には、バッグ本体２の上部開口の周囲（口枠部材４）に固定したボタン４ａを利用して図示しないフードを装着可能である。
【００１９】
この実施形態のキャディバッグ１において、前記取手５は、前記バッグ本体２の一側面において、バッグ本体２の略中央位置及び上部位置に上下方向を向いて２個並んで形成された棒状又は板状の取手５ａ、５ｂと、前記バッグ本体２の口枠部材４の上端部に水平方向を向いて固定された弧状のパイプから成る取手５ｃとから構成されている。
【００２０】
前記取手５の反対側におけるバッグ本体２の側面には、緩やかな凸面状（この実施形態においては、水平方向断面が外側に向けて膨らむ緩やかな弧状）に形成された扁平部７が設けられている。
即ち、この扁平部７は、バッグ本体２に装着された２箇所の備品収納袋部６の間に設けられており、筒状のバッグ本体２の露出した外面において、その上部から下部まで延びるように形成されている。
さらに、前記備品収納袋部６は、ゴルフボール、手袋、タオル、飲み物、取り外したフードなどを適宜入れることができるものであるが、前記扁平部７を両側から囲むように形成されている。
従って、クラブケース２０とキャディバッグ１との一体性を高め、クラブケース２０を外観良く安定してキャディバッグ１に装着できるばかりか、キャディバッグ１の収容力を損なうことを避けることもできる。
【００２１】
前記バッグ本体２の上端開口部を構成する前記口枠部材４の内側は、ゴルフクラブＧのセットを仕分けして入れられるように仕切４ｂによって格子状に区画されている。
前記取手５の反対側に対応する位置の中央部に配置された仕切４ｂは、前記扁平部７上端の中央部と隣接する区画である仕切部８を構成するようになっている。
前記仕切部８は、ゴルフクラブＧのグリップ及びシャフト部分、又は、クラブケース２０の上端部から下方に向けて突出する棒状又は板状のハンドル２１を差し込むために区画されたものであって、前記取手５側の仕切４ｂが前記バッグ本体２の底部まで延設されている。
【００２２】
さらに、前記仕切部８を区画するための仕切４ｂは、他の仕切と異なる着色又は明度によりその場所を識別し易くなっている。
なお、この実施形態において、前記仕切部８の取手５側の前記仕切４ｂの上部は上下方向の長さが３〜６ｃｍ程度の剛性を有する部材から構成されており、下部は布が底部材３まで張られるように延設されることによって他の区画と仕切られている。
また、前記仕切部８が上端部において開口するサイズは、図１の上部に記載されている前記仕切部８の平面図において、図中における上下方向の長さが５〜６ｃｍ程度であり、 図中における左右方向の幅が４〜５ｃｍ程度に設定されている。
【００２３】
従って、ゴルフカートに乗せたキャディバッグ１が上下左右に揺れることがあっても、クラブケース２０のハンドル２１が前記仕切４ｂ又は口枠部材４の内面に当接したり触れることによってクラブケース２０が揺れることを抑制することができ、クラブケース２０がキャディバッグ１から外れ落ちることを防ぐこともできる。
さらに、前記クラブケース２０は、そのハンドル２１として、摩擦係数が大きいゴムや発泡合成樹脂などのカバーを備えたものとすることで、上記効果を高めることができるようになっている。
【００２４】
この実施形態のキャディバッグ１において、前記バッグ本体２の上端開口部から約２０ｃｍ下方位置において、前記扁平部７には、固定手段として前記扁平部７を横切るように延ばすことができるベルト９の基端部が固定されている。
このベルト９の先端部には、それらを連結するためのバックル９ａが装着されており、前記扁平部７を横切る長さの調節が可能となっている。
前記固定手段としては、前記ベルト９に代えて紐であってもよく、その先端側を結ぶようにして長さを調節したり、バネを利用して紐を挟み付け、長さを調節できるようにしたものであってもよい。
また、前記バッグ本体２の上端開口部から約１５〜２５ｃｍ下方位置においてベルト９の基端部を扁平部７に固定して当該高さ位置に固定手段を設けると、腰を曲げたりしゃがむこと無く、立ったままの姿勢で楽に固定手段を操作することができる。
【００２５】
この実施形態の前記キャディバッグ１のバッグ本体２内には、ゴルフのラウンドプレーに使用する１４本のゴルフクラブＧのセットを入れることができ、練習の際などにはさらに追加で数本のゴルフクラブＧを入れることができるサイズとなっている。
一方、図２などに示すクラブケース２０は、上記キャディバッグ１と共に使用するのに適した小型のサブバッグとして、ゴルフクラブセットの内、数本のゴルフクラブＧを抜き出して別途持ち運ぶことができるものである。
【００２６】
前記クラブケース２０は、その上端部から下方に向けて突出する棒状又は板状のハンドル２１を備えており、当該クラブケース２０のハンドル２１を前記仕切部８に差し込み、そのクラブケース２０を前記キャディバッグ１の前記扁平部７と対応させて装着できるようになっている。
なお、前記クラブケース２０は、その本体上部にて回動可能に固定した２本の脚２２の下部を開くことで自立できるものとなっているが、市販されている他の種々のクラブケース、例えば脚を有さず折り畳みできるタイプのクラブケースであってもこの実施形態のキャディバッグ１と共に使用することができる。
【００２７】
前記仕切部８に前記クラブケース２０のハンドル２１を差し込み、さらに前記ベルト９及びバックル９ａを用いることで、前記キャディバッグ１の前記扁平部７に密着させて前記クラブケース２０をキャディバッグ１に対して確実に固定することができる。
そして、キャディバッグ１とクラブケース２０との一体性及び安定性を高めることができるばかりか、持ち運びの際における取扱性を向上させることができる。
なお、前記クラブケース２０は、扁平部７の大きさと合致する大きさであり、形状も扁平部７と合致しやすいように幅広で厚みの少ない略長方形状の水平方向断面を有する有底筒状の折り畳みできない剛性を備えた本体を有している。
【００２８】
次に、本発明のキャディバッグ１を製造する方法について説明する。
本発明のキャディバッグ１を製造するには、従来のキャディバッグにおいて採用されている、合成樹脂製の板材２ａを筒状にして縫い合わせることでバッグ本体２を製造する基本的な製法をそのまま利用できるものである。
前記合成樹脂製の板材２ａとしては、厚さ２ｍｍ程度の発泡ポリエチレン製のシート（商品名「ベルポーレン」）を好適に用いることができる。このシートは、軽量で強度及び耐久性に優れるばかりか柔軟性を有しており、曲げ加工も容易である。
【００２９】
かかる板材２ａを曲げることで、バッグ本体２の一側面に上下方向に延びる扁平部７を容易に形成することができる。
この扁平部７の形状としては、上記一実施形態における緩やかな凸面状（又は緩やかな弧面状）の他、緩やかな凹面状又は平面状とすることができる。
ここで、緩やかな凸面状、緩やかな弧面状、緩やかな凹面状とは、水平方向断面の曲率半径が８０〜１５０ｃｍ程度のものが含まれる。
そして、上記曲率半径の扁平部７は、高価な製造装置を要する樹脂の成形加工を必要とせず、筒状にした発泡ポリエチレン製のシート（板材２ａ）を曲げるという低コストな製法で無理なく簡単に実現することができる。
また、前記扁平部７の左右方向（水平方向）の幅は、５０〜１５０ｍｍ程度の範囲から選択するとよい。
【００３０】
さらに、筒状にされた前記板材２ａの表面には布製の表装材が貼り付けられ、別途製造された底部材３、口枠部材４、取手５ａ，５ｂ、備品収納袋部６、ベルト９などが縫い付けられることなどによって固定される。
従って、本発明のキャディバッグ１は、そのバッグ本体２を低コストな従来製法を活用して簡単に製造することができ、扁平部７の形状は、樹脂成形などによって剛性を備えた部材から成る底部材３及び口枠部材４によって維持することができる。
なお、扁平部７の強度を高めてその形状をより一層安定させるために、バッグ本体２内において、適宜補強用の仕切（布又は板）、バー又はワイヤーのような構造材を追加的に設けてもよい。
【００３１】
本発明を具体化した上記一実施形態のキャディバッグ１をゴルフのラウンドプレーにて使用するには、通常のキャディバッグと同様に、取手５を上側にし、上端開口部を斜め上方に向けてゴルフカートの後部に縛り付けるようにして載せる（図４参照）。
そして、ゴルフクラブセットの一部を入れたクラブケース２０のハンドル２１を前記仕切部８に差し込むことで、使用する数本のゴルフクラブＧのみを入れたクラブケース２０をそのままゴルフカートによって運ぶことができる。
また、クラブケース２０をキャディバッグ１から簡単に取り外すことができ、手で持って運ぶことも容易である。
【００３２】
本発明のキャディバッグは、上記実施形態に限定されるものではなく、扁平部７の形状を適宜変更して実施してもよいものであり、例えば、図５（Ａ）に示すキャディバッグ３１のように、扁平部７の形状を平板状にして実施したり、図５（Ｂ）に示すキャディバッグ３２のように、扁平部７の形状を緩やかな凹面状（水平方向断面がバッグの内側に湾曲する形状）にして実施してもよい。
【００３３】
また、本発明のキャディバッグは、上記実施形態に限定されるものではなく、固定手段を適宜変更して実施してもよいものであり、例えば、図５（Ａ）に示すように、ベルト９の長さ調節と連結のために、ベルト９の先端部に面ファスナー９ｂを固定して実施してもよい。
さらに、本発明の他の実施形態の固定手段として、図６に示すキャディバッグ３３のようにバッグ本体２の扁平部７の上端部と、クラブケース２０のハンドル２１側の本体上端部に面ファスナー１０を固定して扁平部７と対応する位置にクラブケース２０を固定できるようにして実施してもよい。
【００３４】
また、本発明の他の実施形態の固定手段として、図５（Ｂ）及び図７に示すキャディバッグ３２のように、ベルト９の長さ調節のために当該ベルト９の長手方向に沿って装着した紐を巻き取るためのドラムを内蔵した巻取装置９ｃをベルト９の先端部に固定して実施してもよい。かかる巻取装置９ｃは、本件出願人によっても各種のものが提案されて市販されており、入手が容易であって、軽量であり、円盤状のダイヤルを回転させたり上下に操作することで簡単かつ迅速に紐を締め付けたり緩めたりできるものを用いるとよい。
本発明のキャディバッグの他の実施形態の固定手段として、図８に示すキャディバッグ３４のように、バッグ本体２の扁平部７の上端部と、クラブケース２０のハンドル２１側の上端部にホックボタン１１又はマグネットホックを固定して扁平部７と対応する位置にクラブケース２０を固定できるようにして実施してもよい。
【００３５】
さらに、図９に示す本発明の他の実施形態のキャディバッグ３５として、クラブケースを固定するための特別の固定手段を設けていない場合には、傘の先端部を固定するためにキャディバッグ３５の下部に設けてあるリング１２を利用するとよい。
即ち、クラブケース２０の下部にクリップ１３を固定し、当該クリップ１３によって前記リング１２を挟むことで、キャディバッグ３５にクラブケース２０を固定し、クラブケース２０が扁平部７から離れないように安定させてキャディバッグ３５に装着することができる。
【００３６】
本発明は上記各実施形態に限定されるものではなく、本発明の趣旨を逸脱しない範囲でさらに各部の材質、形状、大きさ、強度、設置位置、着色又は明度、厚さ、数量などを適宜変更して実施したり、他の固定手段を採用して実施してもよい。
例えば、上記各実施形態における固定手段を扁平部７の中央部付近に設けるようにするなど、固定手段の取付位置や数を追加又は変更して実施してもよい。
【００３７】
さらに、本発明のキャディバッグは、市販の各種形態のクラブケース（小型のサブバッグ）とともに使用できるものであるが、クラブケースの全体形状、大きさ、ハンドルの位置などは、扁平部７の大きさ及び形状と合致する本明細書及び図面中にて示したクラブケース２０を好適に使用することができる。従って、本発明のキャディバッグは、上記クラブケース２０とともにセットとして具体化し、製造販売してもよいものである。
【産業上の利用可能性】
【００３８】
本発明は、単体で使用する場合も、小型のクラブケースとともに使用する場合にも外観上及び取扱上において適したキャディバッグであって、かつ、低コストな従来製法にて製造可能であり、産業上好適に利用可能である。
【符号の説明】
【００３９】
１      キャディバッグ
２      バッグ本体
２ａ    合成樹脂製板材
３      底部材
４      口枠部材
４ａ    ボタン
４ｂ    仕切
５（５ａ，５ｂ，５ｃ）  取手
６      備品収納袋部
７      扁平部
８      仕切部
９      ベルト
９ａ    バックル
９ｂ    面ファスナー
９ｃ    巻取装置
１０      面ファスナー
１１      ホックボタン
１２      リング
１３      クリップ
２０      クラブケース
２１      ハンドル
２２      脚
３１〜３５    キャディバッグ（他の実施形態）
Ｇ    ゴルフクラブ
【図１】
2018121792.tif 000003
【図２】
2018121792.tif 000004
【図３】
2018121792.tif 000005
【図４】
2018121792.tif 000006
【図５】
2018121792.tif 000007
【図６】
2018121792.tif 000008
【図７】
2018121792.tif 000009
【図８】
2018121792.tif 000010
【図９】
2018121792.tif 000011